(57)【要約】  柔軟な中央の保持要素（４）が、全てのセグメント（１ａ，１ｂ，１ｃ）を通る開口を経て案内されていることを特徴とする、各セグメント（１ａ，１ｂ，１ｃ）が少なくとも１つのランナ（３）を備える、相前後して連結された複数のセグメント（１ａ，１ｂ，１ｃ）から成るソリ。
2013511433.tif 000002
【特許請求の範囲】
【請求項１】
各セグメント（１ａ，１ｂ，１ｃ）が少なくとも１つのランナ（３）を備える、相前後して連結された複数のセグメント（１ａ，１ｂ，１ｃ）から成るソリ（１）において、
柔軟な中央の保持要素（４）が、全てのセグメント（１ａ，１ｂ，１ｃ）を通る開口を経て案内されていることを特徴とするソリ。
【請求項２】
保持要素（４）が、単段又は多段式であり、グラスファイバ、合成樹脂又は金属から成ることを特徴とする請求項１に記載のソリ。
【請求項３】
セグメント（１ａ，１ｂ，１ｃ）の周縁部にそれぞれ１つのコーン部材（６）が存在し、個々のセグメント（１ａ，１ｂ，１ｃ）間に、保持要素（４）を中心として巻き付けられた、コーン部材（６）をセグメント内に存在する盲穴内に押し込むそれぞれ１つのバネ（５）が存在することを特徴とする請求項１又は２に記載のソリ。
【請求項４】
周縁部に存在するセグメント（１ａ，１ｂ，１ｃ）によって、横のコーン部材（６）が固定されたスペーサ（７）が案内されていることを特徴とする請求項１〜３のいずれか１つに記載のソリ。
【請求項５】
セグメント（１ａ，１ｂ，１ｃ）が、３つのランナ（３）を備え、２つのランナ（３）が、セグメント（１ａ，１ｂ，１ｃ）の側縁部に存在し、１つのランナ（３）が、中央に配設されていることを特徴とする請求項１〜４のいずれか１つに記載のソリ。
【請求項６】
セグメント（１ａ，１ｂ，１ｃ）が、３つのランナ（３）を備え、外側のランナが、制御のために使用され、中央のランナが、重量を地面に分配することを特徴とする請求項１〜５のいずれか１つに記載のソリ。
【請求項７】
セグメント（１ａ，１ｂ，１ｃ）が、セグメント（１ａ，１ｂ，１ｃ）をこれに続くセグメント（１ａ，１ｂ，１ｃ）と結合するための連結手段（２）を備えることを特徴とする請求項１〜６のいずれか１つに記載のソリ。
【請求項８】
連結手段が、後続のセグメントに引掛け固定されたフック（２）から成ることを特徴とする請求項７に記載のソリ。
【請求項９】
開口が、セグメント（１ａ，１ｂ，１ｃ）の中心を案内され、中央のランナ（３）の上に存在することを特徴とする請求項１〜８のいずれか１つに記載のソリ。
【請求項１０】
ランナ（３）が、車輪、柔軟な布又は剛性を有する翼によって置換可能であることを特徴とする請求項１〜９のいずれか１つに記載のソリ。
【発明の詳細な説明】
【技術分野】
【０００１】
本発明は、請求項１の上位概念による、複数のセグメントから成るソリに関する。
【背景技術】
【０００２】
複数のセグメントから成るソリは、従来技術において公知である。特許文献１及び特許文献２は、相前後して連結された異なったセグメントから成る滑走ボードを開示する。
【０００３】
特許文献３は、２つのセグメントから成るスノーボードを開示する。特許文献４は、同様に２つのセグメントから成る舵付きソリを開示する。特許文献５は、２つの要素から成り、その上に二人分の席を有する同様の舵付きソリを開示する。
【０００４】
特許文献６には、構造を高剛性に又は柔軟に形成可能で変更可能な、変形可能なスポーツ用具が記載されている。これは、結合要素によって調整可能で段階付与可能な固定装置に集約される１つ又は複数の自由移動可能な連続体によって得られる。
【先行技術文献】
【特許文献】
【０００５】
【特許文献１】仏国特許第２７４２１１７７号明細書
【特許文献２】スイス国特許第５２１２５８号明細書
【特許文献３】米国特許第６８３４８６７号明細書
【特許文献４】米国特許第７１００９２７号明細書
【特許文献５】米国特許第４２６２９１９号明細書
【特許文献６】独国特許第３２４２９１３号明細書
【発明の概要】
【発明が解決しようとする課題】
【０００６】
本発明の課題は、改善された機械的結合と改善された柔軟性を個々のセグメント間に備え、従って正確な制御を可能にする、複数のセグメントから成るソリを提供することにある。
【課題を解決するための手段】
【０００７】
本発明によれば、この課題は、柔軟な中央の保持要素が、全てのセグメントを通る開口を経て案内されていることを特徴とする、請求項１の上位概念によるソリによって解決される。
【０００８】
有利な別の実施形は、従属請求項に記載されている。
【０００９】
柔軟な中央の保持要素は、例えば、グラスファイバ、合成樹脂又は金属のような任意の柔軟な材料から成り、単段又は多段式であってもよい。加えて、セグメントの周縁部にそれぞれ１つのコーン部材が存在し、個々のセグメント間に、保持要素を中心として巻き付けられた、コーン部材をセグメント内に存在する横の盲穴内に押し込むそれぞれ１つのバネが配設されている。周縁部に存在するセグメントによって、コーン部材が固定されたスペーサが案内されている。周縁部のコーン部材は、閉じており、内側のコーン部材は、開放して形成されているので、保持要素は、内側のコーン部材を経て案内することができる。柔軟な中央の保持要素により、ソリの良好な機械的保持が得られ、個々のセグメントが、同時に良好に動くことができる（捩り運動）。
【００１０】
セグメントは、セグメントをこれに続くセグメントと結合するためのフックのような連結手段を備えることができる。この場合、フックは、後続のセグメント内のバックルに引掛け固定されている。
【００１１】
セグメントは、３つのランナを備え、２つのランナが、セグメントの側縁部に存在し、１つのランナが、中央に配設されていてもよい。外側のランナは、制御のために使用され、中央のランナが、重量を地面に分配する。有利なことにセグメントの中心を経て案内された開口は、中央のランナの上に存在する。
【００１２】
ランナは、セグメントに交換可能に固定されている。従って、ランナを異なった幅でセグメントに取り付けたり、車輪をセグメントに取り付けたりすることが可能である。ランナの代わりに固定される柔軟な布又は剛性を有する翼のような滑走補助手段によって水上での使用も可能である。
【００１３】
本発明を、添付図に基づいて詳細に説明する。
【図面の簡単な説明】
【００１４】
【図１】複数のセグメントから成る本発明によるソリの平面図
【図２】本発明によるソリを下から見た図
【図３】本発明によるソリの斜視図
【図４】本発明によるソリを前から見た図
【図５】本発明により個々のセグメントを通る開口を経て案内される柔軟な中央の保持要素の図
【発明を実施するための形態】
【００１５】
本発明によるソリ１が、図１に平面図で図示されている。ソリ１は、フック２又は他の連結要素によって互いに結合された多数のセグメント１ａ，１ｂ，１ｃから成る。セグメント１ａ，１ｂ，１ｃの一端に、それぞれ次のセグメントの開口内に引掛け固定されるフック２が存在する。この形式の結合は、個々のセグメント１ａ，１ｂ，１ｃ間のジョイント式の運動を可能にする。３つのセグメントだけが図示されている。しかしながら、本発明によるソリ１は、モジュール式であり、長さが、セグメント１ａ，１ｂ，１ｃの選択数によって変更することができる。個々の要素の互いの運動は、全てのセグメント１ａ，１ｂ，１ｃのランナ３の恒常的な地面への接触を可能にし、従って、方向安定性及び好ましくは正確な制御性を向上させる。セグメント１ａ，１ｂ，１ｃは、例えば回転焼結又は射出成形によって製造することができる。個々のソリ（異なった人員）は、走行中にフックによって互いに連結することができる。しかしながら過度の推進運動が後方から行なわれた場合、ソリは、自動的に連結を解除される。従って、事故の危険が低減される。
【００１６】
図２は、本発明によるソリ１の下から見た図を示し、図３は、本発明によるソリ１の下から見た斜視図を示す。各セグメント１ａ，１ｂ，１ｃは、３つのランナ３ａ，３ｂを備える。この場合、各セグメント１ａ，１ｂ，１ｃには、各周縁部に横のランナ３ａと中央のランナ３ｂが配設されている。外側のランナ３ａは、制御のために使用され、中央のランナ３ｂは、重量を地面に分配する。本発明によれば、全てのセグメント１ａ，１ｂ，１ｃを経て案内される開口内に存在する。開口は、セグメント１ａ，１ｂ，１ｃの中心を経て案内され、中央のランナ３ｂの上に存在する。セグメント１ａ，１ｂ，１ｃ間に、保持要素４を中心として巻き付けられたそれぞれ１つのバネ５が存在する。バネ５は、セグメント１ａ，１ｂ，１ｃの周縁部で、それぞれ１つのコーン部材６を、個々のセグメント１ａ，１ｂ，１ｃに存在する相応の盲穴内に押し込む。バネ５及びコーン部材６を有する保持要素４は、図５に図示されている。示した実施形では、保持要素４が３段式であり、これが、良好な安定性と十分な柔軟性を与える。しかしながら、段の数は、材料及び実施形に応じて変更することができる。内側のコーン部材６は、開放して形成されているので、一貫した保持要素４を案内することができるが、外側のコーン部材６は、閉じて形成されている。図４は、本発明によるソリの前から見た図を示すが、末端のコーン部材６がみられる。他の実施形では、コーン部材が設けられず、保持要素５の保持が、セグメント１ａ，１ｂ，１ｃで直接行なわれる。
【００１７】
図５に図示したように、周縁部に存在するセグメントに、個々の段の内側に存在するスペーサ７が存在する。図４で見られる外側のコーン部材６は、スペーサ７に固定、例えばネジ固定されている。スペーサ７は、例えばアルミニウムバーから成る。コーン部材６は、周囲に分配されたノッチを備える形態の回転防止部を有する。セグメント内に配設された盲穴は、ノッチに係合する相応の形状を有する。
【００１８】
加えて、ソリには、例えば図４に図示したような多数のリフレクタ８が分配されて配設されている。ス部面と１ａ，１ｂ，１ｃを蛍光材料から製造することも可能である。ランナ３は、セグメント１ａ，１ｂ，１ｃに交換可能に固定されている。従って、ランナ３ａ，３ｂを異なった幅でセグメント１ａ，１ｂ，１ｃに取り付けたり、車輪（図示してない）をセグメント１ａ，１ｂ，１ｃに取り付けたりすることも可能である。水上での使用のため、ランナ３の代わりに、柔軟な布地がランナ３ａ，３ｂ間に取り付けられたり、剛性を有する翼がセグメントに取り付けられる。こうして、ソリは、滑走をすることができる。ランナ３ａ、３ｂは、例えば、セグメント１ａ，１ｂ，１ｃにネジ固定することができる。
【符号の説明】
【００１９】
１                  ソリ
１ａ，１ｂ，１ｃ    ソリ１のセグメント
２                  フック
３ａ                外側のランナ
３ｂ                内側のランナ
４                  保持要素
５                  バネ
６                  コーン要素
７                  スペーサ
８                  リフレクタ
【図１】
2013511433.tif 000003
【図２】
2013511433.tif 000004
【図３】
2013511433.tif 000005
【図４】
2013511433.tif 000006
【図５】
2013511433.tif 000007
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
各セグメント（１ａ，１ｂ，１ｃ）が、他のセグメント（１ａ，１ｂ，１ｃ）の少なくとも１つのランナ（３）に依存しない少なくとも１つのランナ（３）を備える、相前後して連結された複数のセグメント（１ａ，１ｂ，１ｃ）から成るソリ（１）において、
柔軟な中央の保持要素（４）が、全てのセグメント（１ａ，１ｂ，１ｃ）を通る開口を経て案内されていることを特徴とするソリ。
【請求項２】
保持要素（４）が、単段又は多段式であり、グラスファイバ、合成樹脂又は金属から成ることを特徴とする請求項１に記載のソリ。
【請求項３】
セグメント（１ａ，１ｂ，１ｃ）の周縁部にそれぞれ１つのコーン部材（６）が存在し、個々のセグメント（１ａ，１ｂ，１ｃ）間に、保持要素（４）を中心として巻き付けられた、コーン部材（６）をセグメント内に存在する盲穴内に押し込むそれぞれ１つのバネ（５）が存在することを特徴とする請求項１又は２に記載のソリ。
【請求項４】
周縁部に存在するセグメント（１ａ，１ｂ，１ｃ）によって、横のコーン部材（６）が固定されたスペーサ（７）が案内されていることを特徴とする請求項１〜３のいずれか１つに記載のソリ。
【請求項５】
セグメント（１ａ，１ｂ，１ｃ）が、３つのランナ（３）を備え、２つのランナ（３）が、セグメント（１ａ，１ｂ，１ｃ）の側縁部に存在し、１つのランナ（３）が、中央に配設されていることを特徴とする請求項１〜４のいずれか１つに記載のソリ。
【請求項６】
セグメント（１ａ，１ｂ，１ｃ）が、３つのランナ（３）を備え、外側のランナが、制御のために使用され、中央のランナが、重量を地面に分配することを特徴とする請求項１〜５のいずれか１つに記載のソリ。
【請求項７】
セグメント（１ａ，１ｂ，１ｃ）が、セグメント（１ａ，１ｂ，１ｃ）をこれに続くセグメント（１ａ，１ｂ，１ｃ）と結合するための連結手段（２）を備えることを特徴とする請求項１〜６のいずれか１つに記載のソリ。
【請求項８】
連結手段が、後続のセグメントに引掛け固定されたフック（２）から成ることを特徴とする請求項７に記載のソリ。
【請求項９】
開口が、セグメント（１ａ，１ｂ，１ｃ）の中心を案内され、中央のランナ（３）の上に存在することを特徴とする請求項１〜８のいずれか１つに記載のソリ。
【請求項１０】
ランナ（３）が、車輪、柔軟な布又は剛性を有する翼によって置換可能であることを特徴とする請求項１〜９のいずれか１つに記載のソリ。
【国際調査報告】
2013511433.tif 000008
2013511433.tif 000009
2013511433.tif 000010
2013511433.tif 000011